(57)【要約】      （修正有）【課題】遮光要素をその幅よりも大きい間隔で配置しても、十分な遮光性を得られるようにする。【解決手段】窓カバー１は、羽板のような離間された一連の遮光要素２を有する。各遮光要素２は、遮光要素２の１つ又は両方の長縁から延びているフラップ７を有する。隣接する遮光要素２間の間隔は遮光要素２の幅より大きく、遮光要素２の幅とフラップ７の幅を足したものより小さいかあるいは等しい。コード３，４は、遮光要素２の長縁に取り付けられているので、遮光要素２はフラップ７と関連して傾けられたり折りたたまれたりすることができる。透明素材のパネルが、そのコード３，４に加えてあるいはそのコード３，４の代わりに使用されてもよい。【選択図】図１
2006283554.tif 000002
【特許請求の範囲】
【請求項１】
ヘッドレールと、
複数の遮光要素から構成され、各遮光要素は、幅、前記幅より大きな長さ、第一長手縁部及び第二長手縁部を有し、各遮光要素の前記幅が他の全ての遮光要素の前記幅とほぼ等しく、前記ヘッドレールの下方に連なって配置され、一対の隣接する遮光要素は各遮光要素の前記幅より大きな間隔によって隔てられている複数の遮光要素と、
各遮光要素の前記第一長手縁部に取り付けられ、前記ヘッドレールから延びる第一コードと、
各遮光要素の前記第二長手縁部に取り付けられ、前記ヘッドレールから延びる第二コードと、
複数の第一フラップから構成され、各第一フラップは、前記複数の遮光要素の一つの前記第一長手縁部に取り付けられた第一長手縁部と、前記複数の遮光要素の前記長さと対応する長さ、幅、及び自由端である第二長手縁部を有する、複数の第一フラップと、
前記第一コードと第二コードの少なくとも一方と前記ヘッドレールの内側で連結された制御機構と、
を備えるウィンドウカバー。
【請求項２】
前記ヘッドレールの下方でかつ前記複数の遮光要素の下方に配置されるボトムレールと、前記ボトムレールに取り付けられ前記ヘッドレールに延びる複数のリフトコードと、をさらに備える請求項１に記載のウィンドウカバー。
【請求項３】
前記複数の遮光要素の最も下の遮光要素に取り付けられ、前記ヘッドレールに延びる複数のリフトコードをさらに備える請求項１に記載のウィンドウカバー。
【請求項４】
複数の第二フラップをさらに備え、
各第二フラップは、前記複数の遮光要素の一つの前記第二長手縁部に取り付けられる第一長手縁部と、前記複数の遮光要素の前記長さと一致する長さ、幅、及び自由端である第二長手縁部を有する、請求項１に記載のウィンドウカバー。
【請求項５】
前記複数の第一フラップの前記幅は、前記複数の第二フラップの前記幅と等しい、請求項４に記載のウィンドウカバー。
【請求項６】
各前記複数の第二フラップは透明な素材を含んで構成される請求項４に記載のウィンドウカバー。
【請求項７】
前記複数の第一フラップは、それぞれ前記複数の第二フラップの不透明性より大きな不透明性を有する、請求項４に記載のウィンドウカバー。
【請求項８】
前記複数の第一フラップの幅は、遮光要素間の間隔より小さくない、請求項１に記載のウィンドウカバー。
【請求項９】
前記制御機構は、前記ヘッドレールに取り付けられ、第一コードと第二コードのうち少なくとも一つが通り抜けるコードロックを備える、請求項１に記載のウィンドウカバー。
【請求項１０】
前記制御機構は、前記第一コードと前記第二コードの一つが巻きつけられるシャフトを、前記ヘッドレールの内側に備える、請求項１に記載のウィンドウカバー。
【請求項１１】
前記遮光要素の一つの前記長手縁部の一つに取り付けられた剛性ロッドをさらに備える、請求項１０に記載のウィンドウカバー。
【請求項１２】
前記複数の遮光要素は、織られた布、織られていない布、フィルム、編みこまれた木材、編みこまれた草からなるグループから選択された素材を含んで構成される、請求項１に記載のウィンドウカバー。
【請求項１３】
第二のヘッドレールと、
前記ヘッドレールに取り付けられ、前記第二のヘッドレールと関連して前記ヘッドレールを持ち上げたり下ろしたりするために前記第二のヘッドレールの中を通り抜ける複数のコードと、をさらに備える請求項１に記載のウィンドウカバー。
【請求項１４】
前記第二のヘッドレールにコードロックをさらに備え、前記複数のコードは前記コードロックを通り抜ける、請求項１３に記載のウィンドウカバー。
【請求項１５】
少なくとも一つの前記フラップの下縁部は非直線である、請求項１に記載のウィンドウカバー。
【請求項１６】
少なくとも一つの前記フラップの下縁部はスカラップである、請求項１に記載のウィンドウカバー。
【請求項１７】
前記ヘッドレールから延びる、少なくとも一つのパネル素材をさらに備える請求項１に記載のウィンドウカバー。
【請求項１８】
少なくとも一つの前記パネル素材は、複数の前記遮光要素のうちの少なくとも一つの遮光要素の前記第一長手縁部又は前記第二長手縁部に取り付けられる、請求項１に記載のウィンドウカバー。
【請求項１９】
少なくとも一つの前記パネル素材に取り付けられたボトムレールをさらに備える請求項１８に記載のウィンドウカバー。
【請求項２０】
ヘッドレールと、
複数の遮光要素から構成され、各遮光要素は、幅、前記幅より大きな長さ、第一長手縁部、及び第二長手縁部を有し、各遮光要素の前記幅が他の全ての遮光要素の前記幅とほぼ等しく、前記ヘッドレールの下方に連なって配置され、一対の隣接する遮光要素は各遮光要素の前記幅より大きな間隔によって隔てられている複数の遮光要素と、
各遮光要素の前記第一長手縁部に取り付けられ、前記ヘッドレールから延びる第一コードと、
前記ヘッドレールから延び、各遮光要素の前記第二長手縁部に取り付けられるパネル素材と、
前記複数の遮光要素の一つの前記第一長手縁部に取り付けられた第一長手縁部、前記複数の遮光要素の前記長さと対応する長さ、幅、及び自由端である第二の長手縁部を有する、複数の第一フラップと、
前記第一コードと前記パネル素材の少なくとも一方と前記ヘッドレールの内側で連結された制御機構と、
を備えるウィンドウカバー。
【請求項２１】
前記ヘッドレールの下方でかつ前記複数の遮光要素の下方に配置されるボトムレールと、前記ボトムレールに取り付けられ前記ヘッドレールに延びる複数のリフトコードと、をさらに備える請求項２０に記載のウィンドウカバー。
【請求項２２】
前記複数の遮光要素の最も下の遮光要素に取り付けられ、前記ヘッドレールに延びる複数のリフトコードをさらに備える請求項２０に記載のウィンドウカバー。
【請求項２３】
複数の第二フラップをさらに備え、各第二フラップは、前記複数の遮光要素の一つの前記第二長手縁部に取り付けられる第一長手縁部と、前記複数の遮光要素の前記長さと一致する長さと、幅と、自由端である第二長手縁部とを有する、請求項２０に記載のウィンドウカバー。
【請求項２４】
前記複数の第一フラップの前記幅は、前記複数の第二フラップの前記幅と等しい、請求項２３に記載のウィンドウカバー。
【請求項２５】
各前記複数の第二フラップは透明な素材を含んで構成される請求項２３に記載のウィンドウカバー。
【請求項２６】
前記複数の第一フラップのそれぞれは、前記複数の第二フラップの不透明性より大きな不透明性を有する、請求項２３に記載のウィンドウカバー。
【請求項２７】
前記複数の第一フラップの幅は、遮光要素間の間隔より小さくない、請求項２０に記載のウィンドウカバー。
【請求項２８】
前記制御機構は、前記第一コードと前記パネル素材の一つが巻きつけられるシャフトを、前記ヘッドレールの内側に備える、請求項２０に記載のウィンドウカバー。
【請求項２９】
前記遮光要素の一つの前記長手縁部の一つに取り付けられた剛性ロッドをさらに備える、請求項２０に記載のウィンドウカバー。
【請求項３０】
前記複数の遮光要素は、織られた布、織られていない布、フィルム、編みこまれた木材、編みこまれた草からなるグループから選択された素材を含んで構成される、請求項２０に記載のウィンドウカバー。
【請求項３１】
少なくとも一つの前記フラップの下縁部は非直線である、請求項２０に記載のウィンドウカバー。
【請求項３２】
少なくとも一つの前記フラップの下縁部はスカラップである、請求項２０に記載のウィンドウカバー。
【請求項３３】
ヘッドレールと、
複数の遮光要素から構成され、各遮光要素は、幅、前記幅より大きな長さ、第一長手縁部及び第二長手縁部を有し、各遮光要素の前記幅が他の全ての遮光要素の前記幅とほぼ等しく、前記ヘッドレールの下方に連なって配置され、一対の隣接する遮光要素は各遮光要素の前記幅より大きな間隔によって隔てられる複数の遮光要素と、
前記ヘッドレールから延び、各遮光要素の第一長手縁部に取り付けられる第一のパネル素材と、
前記ヘッドレールから延び、各遮光要素の第二長手縁部に取り付けられる第二のパネル素材と、
前記複数の遮光要素の一つの前記第一長手縁部に取り付けられた第一長手縁部、前記複数の遮光要素の前記長さと対応する長さ、幅、及び自由端である第二の長手縁部を有する、複数の第一フラップと、
前記第一のパネル素材と前記第二のパネル素材の少なくとも一方と前記ヘッドレールの内側で連結された制御機構と、
を備えるウィンドウカバー。
【請求項３４】
前記ヘッドレールの下方でかつ前記複数の遮光要素の下方に配置されるボトムレールと、前記ボトムレールに取り付けられ前記ヘッドレールに延びる複数のリフトコードと、をさらに備える請求項３３に記載のウィンドウカバー。
【請求項３５】
前記複数の遮光要素の最も下の遮光要素に取り付けられ、前記ヘッドレールに延びる複数のリフトコードをさらに備える請求項３３に記載のウィンドウカバー。
【請求項３６】
複数の第二フラップをさらに備え、各第二フラップは、前記複数の遮光要素の一つの前記第二長手縁部に取り付けられる第一長手縁部と、前記複数の遮光要素の前記長さと一致する長さと、幅と、自由端である第二長手縁部とを有する、請求項３３に記載のウィンドウカバー。
【請求項３７】
前記複数の第一フラップの前記幅は、前記複数の第二フラップの前記幅と等しい、請求項３６に記載のウィンドウカバー。
【請求項３８】
各前記複数の第二フラップは透明な素材を含んで構成される請求項３６に記載のウィンドウカバー。
【請求項３９】
前記複数の第一フラップのそれぞれは、前記複数の第二フラップの不透明性より大きな不透明性を有する、請求項３６に記載のウィンドウカバー。
【請求項４０】
前記複数の第一フラップの幅は、遮光要素間の間隔より小さくない、請求項３３に記載のウィンドウカバー。
【請求項４１】
前記制御機構は、前記第一のパネル素材と前記第二のパネル素材の一つが巻きつけられるシャフトを、前記ヘッドレールの内側に備える、請求項３３に記載のウィンドウカバー。
【請求項４２】
前記遮光要素の一つの前記長手縁部の一つに取り付けられた剛性ロッドをさらに備える、請求項３３に記載のウィンドウカバー。
【請求項４３】
前記複数の遮光要素は、織られた布、織られていない布、フィルム、編みこまれた木材、編みこまれた草からなるグループから選択された素材を含んで構成される、請求項３３に記載のウィンドウカバー。
【請求項４４】
少なくとも一つの前記フラップの下縁部は非直線である、請求項３３に記載のウィンドウカバー。
【請求項４５】
少なくとも一つの前記フラップの下縁部はスカラップである、請求項３３に記載のウィンドウカバー。
【発明の詳細な説明】
【技術分野】
【０００１】
本発明は、一般にベネチアンブラインドの羽板のような、傾斜する遮光要素を有するタイプの窓のブラインドに関する。
【背景技術】
【０００２】
ベネチアンブラインドは、広く世に出まわっているウィンドウカバーの１つの型である。これらのブラインドは、ヘッドレール、ボトムレール、及び、ボトムレールとヘッドレールの間に延び一連の羽板を支えるラダーを有する。リフトコードは、ブラインドを上げたり下ろしたりするために、ボトムレールからヘッドレールまで延びる。羽板は、ラダーの動きによって傾けられる。
【０００３】
羽板は全開姿勢へ持ち上げられたり、窓全体を覆うために下げられたりすることができる。また、羽板は全閉姿勢まで垂直に傾けられたり、又は、垂直から水平の間で選択された方向に傾けられた羽板と共に、完全に下ろされた姿勢あるいは部分的に下ろされた姿勢まで下げられることができる。ベネチアンブラインドでは、羽板間の間隔は羽板の幅を超えず、たいてい羽板の幅より小さい。このような間隔は、羽板が垂直か又はほぼ垂直に傾けられるときにブラインドが完全に窓を覆うために必要とされる。この間隔のために、羽板が完全に垂直に傾けられるか又はほぼ垂直な姿勢であるとき、羽板間に隙間はない。
【０００４】
ほとんどのベネチアンブラインドの羽板は木製、アルミニウム製あるいはプラスチック製であるが、布製の羽板でベネチアンブラインドを製造することも知られている。布製羽板の一例は米国特許第５８２９５０６号明細書にて発明者ゾルバによって開示されている。布製羽板は、木製、アルミニウム製及びプラスチック製と同様にラダーにかけられるか又はラダーの段に取り付けられ、横軸の芯を有してもよい。布製羽板を有するベネチアンブラインドは、木製、アルミニウム製又はプラスチック製の羽板を有するベネチアンブラインドと同様に作動する。
【０００５】
米国特許第３３８８４９０号明細書にて発明者カンデルは、各羽板の一方の端に取り付けられたフリンジを有するベネチアンブラインドを開示している。そのフリンジは、プライバシーのために羽板間の空間を覆うように、しかし空気は通るように、次に隣接する羽板に延びる。米国特許出願公開第２００４／００１６６９３号明細書において発明者ニーンは、羽板の一方の長手縁部又は両方の長手縁部に取り付けられた網目状の布を有するベネチアンブラインドを開示している。先行技術に示される他のベネチアンブラインドと同様に、発明者カンデル及び発明者ニーンによって開示されたブラインドの隣接する羽板間の間隔は、その羽板の幅を超えない。したがって、羽板が垂直かほぼ垂直に完全に傾くように動かされると、隣接する羽板間には光が通り抜けるかもしれない空間がなくなる。ゆえに、これらのブラインドは、従来のベネチアンブラインドと同じ型の光の制御を行う。
【発明の開示】
【０００６】
本発明は、ヘッドレールと、ヘッドレールから延びる２以上のリフトコードと、いくつかの羽板のようにヘッドレールの下方で選択された幅で連続して配置されている遮光要素と、を有するウィンドウカバーを規定する。遮光要素は、リフトコードを通す開口を備えてもよい。従来のベネチアンブラインドと異なり、本発明の隣接する遮光要素は、遮光要素又は羽板の幅より広い間隔を空けて配置される。遮光要素は、互いに概ね平行で、リフトコードを横切る方向に向けられている。フラップは、一方の長手縁部又は両方の長手縁部に取り付けられている。各遮光要素の幅とフラップの幅を足した幅は、隣接する遮光要素間の間隔より小さい。遮光要素が閉姿勢であるとき、一つのフラップの下端は逆さま又は隣接する遮光要素の上端が接するので、ウィンドウカバーには光が通る隙間はない。遮光要素が開姿勢であるとき、フラップの下端は、隣接する遮光要素から離間している。遮光要素の動きは、各遮光要素の一方の長手縁部に取り付けられ、ヘッドレールに延びる１又は複数の第一コードと、各遮光要素の反対側の長手縁部に取り付けられた１又は複数の第二コードとによって制御される。一実施形態では、各コードの上端はヘッドレールに固定される。第二のコードを引いたり放したりすると、遮光要素及び隣接するフラップ間の隙間を閉じたりつくったりしながら、第二のコードが取り付けられた各遮光要素の長手縁部が持ち上がったり下がったりする。他の実施形態では、第一コードと第二コードの両方がヘッドレールに関連して動作可能である。したがって、一方の長手縁部又は両方の長手縁部は持ち上げられたり下げられたりすることができる。遮光要素がフラップをほぼ垂直な姿勢の状態のまま動かすとき、遮光要素がフラップと関連して折り重なると言われてもよい。回転する際に反対側の方向に各遮光要素の端を動かすドラムやシャフトに、両方のコードを連結してもよい。
【０００７】
遮光要素の長手縁部に取り付けられた第一及び第二コードに加えて、リフトコードが、ヘッドレールから最も下の遮光要素まで、又はもしボトムレールが存在するならボトムレールまで、延びる。リフトコードは、ちょうどベネチアンブラインドのリフトコードが羽板を持ち上げたり下ろしたりするように、遮光要素を持ち上げたり下ろしたりする。
【０００８】
遮光要素は、木製、アルミニウム製、木製素材を編み合わせたもの又は塩化ビニルであってもよいが、布製であることが望ましい。一実施形態では、遮光要素とフラップは、同じ布である。他の実施形態では、２つのフラップが備えられ、１つのフラップは光が通るような網目状の布で、２つ目の布は光を遮断する不透明の生地である。
【０００９】
この遮光物を、上から下に下がる遮光物、下から上に上がる遮光物として構成してもよい。この型の遮光物の一実施形態では、全てのコードは、遮光要素が下ろされ、ボトムレールや窓敷居に積み上げられたりするのを許可しつつ、コードロックを通り抜ける。上から下に下がる遮光物、下から上に上がる遮光物の他の実施形態は、中間レールを使用する。遮光要素の端に取り付けられたコードは、その中間レールに取り付けられるか又は通り抜ける。
【００１０】
ヘッドレールから延びる、透き通った素材の１つ又は２つのパネルを備え付けてもよい。透き通った素材のパネルは、遮光要素の長手縁部に取り付けられたコードに加えて、又はそれの替わりに、使用されることができる。
本ウィンドウカバーのその他の物と利点は、図面に示された好ましい実施形態から明らかになるであろう。
【発明を実施するための最良の形態】
【００１１】
本発明のウィンドウカバーの第一の好ましい実施形態は図１から５に示される。このウィンドウカバー１は、ヘッドレール６と、複数の操作可能な遮光要素２と、２つの第一コード３と、２つの第二コード４と、２つのリフトコード５とを備え、それら全てはヘッドレール６へと延びる。遮光要素２は、木製、木製素材を編み合わせたもの、アルミニウム製、塩化ビニル製あるいは他のプラスチック製であってもよいが、布製かフィルムであることが望ましい。絹、綿及び亜麻布のような自然素材、ポリエステル、レーヨン及びナイロンのような合成素材、又は自然素材と合成素材との混合物を含むような、ウィンドウカバーに伝統的に使用されてきたどんな布地が使用されてもよい。その布地は、織り合わされたものであっても織り合わされたものでなくてもよい。その素材は、光がその素材を通り抜けないように十分にきつい織り方であることが望ましい。各遮光要素２は、第一の剛性ロッド２１に取り付けられた第一長手縁部１１と、第二の剛性ロッド２２に取り付けられた第二長手縁部１２を有する。ロッド２１と２２は操作可能な遮光要素２の長さいっぱいに延びる。フラップ７は、遮光要素２の第一長手縁部１１から延びる。そのフラップは、遮光要素と同じ素材であってもよい。したがって、第三の剛性ロッド２３は、フラップ７の下端あるいは自由端１３に沿って備え付けられる。フラップ７と遮光要素２は同じ幅であることが望ましい。その幅は、好ましくは２インチから６インチ（５センチから１５センチ）の間であり、最も好ましいのは４インチ（約１０センチ）である。隣接する遮光要素間の間隔は常に遮光要素の幅より広く、遮光要素の幅とフラップの幅を足した幅より狭い。
【００１２】
第一の好ましい実施形態では、２つの第一コード３の上端はヘッドレール６に固定されている。これらのコードは、各遮光要素２の第一長手縁部にも取り付けられている。代わりの実施形態では、第一コードは図１の点線で示されるシャフト１６に連結されていてもよいし、ヘッドレール６の内側の他の操作機構に連結されていてもよい。第二コード４は各遮光要素２の反対側の長手縁部１２に取り付けられる。第二のコード４はヘッドレール６のコードロック８を通り抜ける。第二のコード４を引くと、図１に示す姿勢から遮光要素の第二長手縁部１２を、図３及び５に示す全閉姿勢まで持ち上がる。コード４をコードロック８から解放すると、遮光要素の第二長手縁部を、図２に示す第二の開姿勢まで落とすことが可能となる。もちろん、図２に示す第二の開姿勢と、図３に示す完全に下ろされた閉姿勢との中間のどんな姿勢にでも、第二長手縁部を持ち上げてもよいし下ろしてもよい。したがって、遮光要素及び隣接するフラップの間の隙間のサイズは遮光要素２の端がどれだけ持ち上げられたかによって決定される。もし望まれるなら、ヘッドレールにコード４の上端を固定し、コード３をコードロック８に通り抜けさせてもよい。そうすると遮光物は、各遮光要素の第一長手縁部を下ろすことによって完全に下ろされた閉姿勢にまで動かされる。遮光要素を図４に示すような姿勢にするために、遮光要素の第一長手縁部を持ち上げてもよい。しかし、別の方法は、遮光要素の両端とロッド２１及び２２が遮光物が回転するのと反対の方向に動くようなやり方で、第一コード３と第二コード４の両方をシャフト１６に、連結することである。遮光要素２が傾くので、フラップ７は垂直方向の状態を保ったままである。したがって、遮光要素２はフラップ７と関連して折り重なると言われてもよい。
【００１３】
リフトコード５は、ボトムレール１０から遮光要素２まで延び、ヘッドレール６とヘッドレールのコードロック９とを通る。リフトコード５を引くと、ボトムレール１０と遮光要素２が上がる。リフトコードは最も低い位置にある遮光要素に連結されてもよく、そうすると、ボトムレールは存在しなくてもよい。リフトコード５は、遮光要素２の中央を通り抜けてもよいし、第一のコード又は第二のコードから延びる輪を通ってもよい。リフトコードをヘッドレールの内部でシャフトに巻きつけて、遮光物を上げたり下げたりすることによってシャフトを回すために、モータかコードループを使用してもよい。
【００１４】
図６、７及び８に示す、第二の好ましい実施形態２０では、２つのフラップ２４及び２５が各遮光要素２６に取り付けられている。各遮光要素は、各長手縁部に剛性ロッド２１及び２２を有する。剛性ロッド２３も、各フラップ２４の自由端に備え付けられている。フラップ２４及び２５の両方は同じ素材であってもよいが、１つのフラップ２４は光を通さない不透明な素材で、２つ目のフラップ２５は網目状か又は他の光を通す素材であることが望ましい。その結果、遮光要素２６が図７に示すような姿勢に傾けられると、不透明なフラップ２４は、ウィンドウカバーを通して光がまったく通らないか又はほとんど通らないように、隣接する遮光要素間の隙間を閉じる。しかしながら、図８に示すように遮光要素２６が反対方向に傾けられると、光を通すフラップ２５が、隣接する遮光要素の間にあるようになる。したがって、光は、隣接する羽板間の光を通すフラップ２５を通り抜けるかもしれない。リフトコード２７は、ボトムレール３０から遮光要素を通り抜けてヘッドレール６に延びる。リフトコードはコードロック９を通り抜ける。リフトコードを引くと、遮光要素を持ち上げながらボトムレール３０が持ち上がる。第一の実施形態では、第一コード２８の一対は各遮光要素の一端に取り付けられ、第二コード２９の一対は各遮光要素の反対側の端に取り付けられている。これらのコード２８、２９は、第一実施形態のコード３及び４と同じ方法で機能する。
【００１５】
各フラップ２４、２５は、隅から隅まで同じ不透明性を有する単一の素材であることが望ましいが、他のバリエーションも可能である。２以上の素材が一つのフラップに使用されてもよいので、フラップの一部は、フラップの他の部分と異なる不透明性、色、模様である。両方のフラップは網目状の布でもよいし、他の光を通す素材であってもよい。フラップが図６のような姿勢であるとき、フラップの織り方によって、フラップを透かして見ることができるかもしれないし、できないかもしれない。フラップは、光の透過性と同様に、色も異なっていてもよい。一つのフラップに青、二つ目のフラップに黄色、のように異なる色を使用すると、図６に示すようにフラップが一列に並べられるとき、緑のような三つ目の色が現れる。２つのフラップの間に図示しない三番目のフラップを置くことにより、同様の効果が達成されてもよい。
【００１６】
図９、１０及び１１に示す第三の好ましい実施形態は、たれ布３３と共に、幅の狭いヘッドレール３２を有する。第一実施形態と同様に、この実施形態は複数の遮光要素３４、第一コード３５、第二コード３６及びリフトコード３７を有する。ここで、コード３５及び３６は布製のテープである。ロッド２１及び２２は、各遮光要素３４の長手縁部に取り付けられる。第二の実施形態のように、フラップ３８及び３９は遮光要素３４の長手縁部から延びる。各フラップ３８、３９は、その自由端に剛性ロッド２３を有する。ヘッドレールの幅は狭く、遮光要素が布製であるため、図９及び１１に示すように水平で平らになると、各遮光要素の長手縁部は互いに近づく。その結果、この実施形態は比較的幅の狭い側面を有する。ヘッドレール３２は単に、コードロックと、たれ布の後ろの板の底部に取り付けられた滑車とを有する布で覆われた板であってもよい。この実施形態は、第一コードか第二コードがヘッドレールに固定されるか又は、第一コードも第二コードもヘッドレールに固定されないかによって、これまでの実施形態と同じ方法で操作されることができる。コード３６を引くと、図１０に示すような姿勢に遮光要素の第二長手縁部が持ち上がる。第一コードを引くと、遮光要素の第一長手縁部が持ち上がる。第一長手縁部が持ち上げられると、フラップ３９が隣接する遮光要素３４間の隙間を覆う。もし、第二長手縁部が完全に持ち上げられるか又は、第一長手縁部が下げられると、フラップ３８は隣接する遮光要素の間にある。フラップ３８は光を通さず、フラップ３９は光を通る素材を通す素材であることが望ましい。
【００１７】
ここで開示されたいずれの実施形態も、上から下へ下がるブラインド又は下から上へ上がるブラインドとして操作するために縛られていてもよい。このような実施形態では、第一コードと第二コードは移動可能であるため、全ての遮光要素はボトムレールか窓敷居の上に下ろされてもよい。コードは、図示された実施形態と同じ方法で遮光要素に連結される。
【００１８】
図１２及び１３に示す第四の実施形態４０のように他のヘッドレールや中間レールの使用を通して上から下へ、又は下から上への性能を備えてもよい。この実施形態では、遮光要素４２は、最初の３つの実施形態のいずれの遮光要素と類似していてもよい。第一コード４３は、各遮光要素の一方の長手縁部に取り付けられ、中間レール４１に添付される上端を有する。第二のコード４４は、各遮光要素の反対側の長手縁部に取り付けられ、中間レール４１と、中間レール４１の一端にあるコードロック４８を通り抜ける。リフトコード５０は、最も下の遮光要素かあるいはボトムレールからコードロック４９を通り中間レールまで延びる。リフトコード４６の第二のセットは、中間レールに取り付けられ、ヘッドレール６のコードロック４７を通り抜ける。コードロック４８及び４９はヘッドレールに配置されてもよく、この場合、コード４４及び４５は中間レールを通り抜けヘッドレールまで延びる。どちらの形状であっても、コードは同じ方法で遮光要素を操作する。コード４６は中間レールに取り付けられ、ヘッドレールのコードロック４７を通り抜ける。これらのコードは、中間レール４１が持ち上げられたり下ろされたりすることを許可する。
【００１９】
この点を記載し例証する全ての実施形態では、全てのフラップの下縁は直線である。しかしながら、このような構成は必要とされない。１以上の下縁は、曲線、スカラップ、又は他の非線形な形状であってもよい。さらに、ふさ飾りが１以上の下縁に取り付けられてもよい。図１４に示すその他の好ましい実施形態５１は、それぞれ少なくとも一つのフラップ５３を有するいくつかの遮光要素５４を有する。この実施形態では、各フラップ５３の下縁５５はスカラップである。これまでの実施形態の通り、ロッド２１は、各遮光要素の上縁と下縁と隣接して各遮光要素に取り付けられている。下縁５５がスカラップに縁取りされているので、ロッド２３はスカラップの縁取りの上方に配置される。たれ布５２は、ヘッドレール６の前から延びる。第一コード又はテープ５６は、各遮光要素の前の縁に取り付けられ、ヘッドレールに固定された上端を有する。第二コード５７は、各遮光要素の反対側の縁に取り付けられ、コードロック８を通り抜ける。リフトコード５８は、最も下の遮光要素かボトムレールに取り付けられ、コードロック９を通り抜ける。
【００２０】
ここで開示された各実施形態は、一対のリフトコードと、各遮光要素の一方の長手縁部に取り付けられた一対の第一コードと、各遮光要素の反対側の長手縁部に取り付けられた一対の第二コードとを有する。しかしながら、一つのコードあるいは２以上のコードは、遮光要素に使用される素材と遮光物のサイズによって、各対のコードは適所に使用されてもよい。遮光要素の縁に取り付けられたコードに、従来のコードの素材よりむしろ、テープや布製の帯を使用してもよい。実は、好ましい実施形態に示されたコードと同じ方法の機能のいずれであっても、この発明の目的のためのコードと考えられるべきである。遮光要素とフラップの縁に取り付けられたロッドは、金属であることが望ましいが、それらはプラスチックや繊維ガラスであってもよい。
【００２１】
ヘッドレールとボトムレールは、その技術において知られているいかなる形状であってもよい。加えて、ヘッドレールとボトムレールのどちらか一方あるいは両方は布で覆われていてもよい。この布は、遮光要素あるいはたれ布に使用される布と同じものであっても、同じものでなくてもよい。
【００２２】
図１５に示すウィンドウカバー６０の第七の好ましい実施形態は、図１の実施形態と類似している。したがって、類似する構成要素は同じ参照番号を持つ。この実施形態では、ボトムレール１０からヘッドレール６へ延びる網目状の布６１のパネルを用意する。このパネルは各遮光要素２の長手縁部１２に取り付けられても取り付けられなくてもよい。もしそのパネルがこれらの縁に取り付けられているなら、布の上縁は、コード４を必要ないようにしてヘッドレールの内側でシャフト又はローラーに取り付けられてもよい。遮光要素の長手縁部は、シャフトやローラーにパネルをただ巻きつけたり解いたりすることによって、持ち上げられたり下ろされたりする。ウィンドウカバーの反対側に遮光要素２の縁１１に隣接して図示しない第二のパネルを備え付けてもよい。このパネルは、コード３の代わりに又はコード３に加えて使用されてもよい。図６から１４に示される実施形態と組み合わせて、網目状の１又は２つのパネルを使用してもよい。そのパネルは、ここに記載されたいずれの方法と同じようにも、ヘッドレールとボトムレールの間に連結されてもよい。
【００２３】
操作可能な遮光要素を有するウィンドウカバーの特定の好ましい実施形態を図示及び記載してきたが、発明はそれに限定されるものではなく、請求項の範囲内で様々な形態に具体化されてよいことを、明確に解釈されるべきである。
【図面の簡単な説明】
【００２４】
【図１】本発明の第一の好ましい実施形態に係る第一開姿勢で完全に下ろされている状態の斜視図。
【図２】図１の実施形態の第二開姿勢で完全に下ろされている状態の斜視図。
【図３】図１の実施形態の閉姿勢で完全に下ろされている状態の斜視図。
【図４】図１の実施形態の第一開姿勢での側面図。
【図５】図１の実施形態の閉姿勢で完全に下ろされている状態の側面図。
【図６】本発明の第二の好ましい実施形態に係る完全な開姿勢で完全に下ろされた状態の斜視図。
【図７】図６の実施形態の第一閉姿勢で完全に下ろされている状態の斜視図。
【図８】図６の実施形態の第二閉姿勢で完全に下ろされている状態の斜視図。
【図９】本発明の第三の好ましい実施形態にかかる全開姿勢で完全に下ろされている状態の斜視図。
【図１０】好ましい実施形態の第一閉姿勢で完全に下ろされている状態の側面図。
【図１１】図９に示す実施形態の上部の側面図。
【図１２】第四の好ましい実施形態の閉姿勢で完全に下ろされている状態の正面図。
【図１３】図１２の実施形態の開姿勢で下ろされている状態の正面図。
【図１４】図９、１０及び１１に示す実施形態と類似した第六の好ましい実施形態に係る上部の正面図。
【図１５】本発明の第七の好ましい実施形態に係る第一開姿勢で完全に下ろされている状態の斜視図。
【図１】
2006283554.tif 000003
【図２】
2006283554.tif 000004
【図３】
2006283554.tif 000005
【図４】
2006283554.tif 000006
【図５】
2006283554.tif 000007
【図６】
2006283554.tif 000008
【図７】
2006283554.tif 000009
【図８】
2006283554.tif 000010
【図９】
2006283554.tif 000011
【図１０】
2006283554.tif 000012
【図１１】
2006283554.tif 000013
【図１２】
2006283554.tif 000014
【図１３】
2006283554.tif 000015
【図１４】
2006283554.tif 000016
【図１５】
2006283554.tif 000017
【外国語明細書】
2006283554.tif 000018
2006283554.tif 000019
2006283554.tif 000020
2006283554.tif 000021
2006283554.tif 000022
2006283554.tif 000023
2006283554.tif 000024
2006283554.tif 000025
2006283554.tif 000026
2006283554.tif 000027
2006283554.tif 000028
2006283554.tif 000029
2006283554.tif 000030
2006283554.tif 000031
2006283554.tif 000032
2006283554.tif 000033
2006283554.tif 000034
2006283554.tif 000035
2006283554.tif 000036
2006283554.tif 000037
2006283554.tif 000038
2006283554.tif 000039
2006283554.tif 000040
2006283554.tif 000041
2006283554.tif 000042
2006283554.tif 000043
2006283554.tif 000044
2006283554.tif 000045
2006283554.tif 000046
2006283554.tif 000047
2006283554.tif 000048
2006283554.tif 000049
2006283554.tif 000050
2006283554.tif 000051